(57)【要約】  本発明の対象は、例えば脱毛症、リウマチ障害の手当て、又は陰茎の毛細血管の血管拡張の促進等の人間の体部の手当て用装置（１）である。装置は、台座本体（２）と、手持ちケース（２０）、シリコンの固有波長に等しい、即ち９０５ナノメートルに等しい波長を有する波動の放射に適した複数の個別のエミッタ（３０）を有している。人間の体部の手当てのためのセットは、この装置および、エミッタと人間の体部の手当て対象部位との間の接触を防止するために使用できる複数のバッグを含んでいる。
2008543417.tif 000002
【特許請求の範囲】
【請求項１】
人間または動物の体部の手当て対象部位に対する使用に適した装置（１）であって、ホルダ上に置くのに適した台座本体（２）と、前記台座本体（２）に操作的に接続され手に保持されての取扱い性や前記手当ての実行性に適した手持ちケース（２０）と、複数の個別のエミッタ（３０）であって各エミッタが或る波長を有する波動を放射するのに適した実質的単色放射手段とを具備し、もって、前記エミッタは手当ての際に前記体部の前記手当て対象部位に前記波動が当たるように前記ケース２０に配置した人間または動物の体部手当て用装置。
【請求項２】
請求項１において、前記エミッタはシリコンの放射波長に実質的に等しい波長を有する波動を放射するのに適している人間または動物の体部手当て用装置。
【請求項３】
請求項１または請求項２において、前記エミッタは８７５〜９３５ナノメートルの領域に含まれる波長を有する波動を放射するのに適している人間または動物の体部手当て用装置。
【請求項４】
請求項３において、前記エミッタは９０５ナノメートルに実質的に等しい波長を有する波動を放射するのに適している人間または動物の体部手当て用装置。
【請求項５】
請求項１〜４のいずれか１項において、前記手持ちケースは手当ての際に前記手当て対象部位に対面させられる前面と、背面とを備え、前記エミッタは前記前面の側部に配設した人間または動物の体部手当て用装置。
【請求項６】
請求項５において、前記エミッタは前記前面から突き出している人間または動物の体部手当て用装置。
【請求項７】
請求項５又請求項６において、前記エミッタは互いに離間させた人間または動物の体部手当て用装置。
【請求項８】
請求項５〜７のいずれか１項において、前記エミッタは行および列を特定できるマトリックスを生成するように配置されている人間または動物の体部手当て用装置。
【請求項９】
請求項８において、或る行の前記エミッタは隣接した行のエミッタに対して中間の位置に配置した人間または動物の体部手当て用装置。
【請求項１０】
請求項９において、外縁の行または外縁の列に配置されていないエミッタは、隣のエミッタに対して一定距離を隔てた人間または動物の体部手当て用装置。
【請求項１１】
請求項９又は請求項１０において、前記エミッタはハニカム状に配列させた人間または動物の体部手当て用装置。
【請求項１２】
請求項１〜１１のいずれか１項において、前記台座本体は前記ケースの少なくとも一部分を収容して前記装置を不使用状態にしておくのに適した人間または動物の体部手当て用装置。
【請求項１３】
請求項１２において、前記台座本体は、前記ホルダ上への配置に適した支持ベースと、前記支持ベースの反対側となる上壁とを有し、前記上壁は前記ケースを収容する座台を備えた人間または動物の体部手当て用装置。
【請求項１４】
請求項１３において、前記座台は互いに区別することができる下部空間および上部空間を備え、前記下部空間は前記エミッタを収容させるのに適し、前記上部空間は前記ケースを少なくとも部分的に収容させるのに適した人間または動物の体部手当て用装置。
【請求項１５】
請求項１〜１４のいずれか１項において、前記エミッタに前記波動を放射させるための電力供給に適した二次供給手段を有する人間または動物の体部手当て用装置。
【請求項１６】
請求項１５において、前記電力供給手段は前記ケースに収容させた人間または動物の体部手当て用装置。
【請求項１７】
請求項１〜１６のいずれか１項において、前記二次供給手段と協働して前記二次供給手段に電力を供給するのに適した一次供給手段を有する人間または動物の体部手当て用装置。
【請求項１８】
請求項１７において、前記一次供給手段は、前記台座本体に収容させた人間または動物の体部手当て用装置。
【請求項１９】
請求項１〜１８のいずれか１項において、前記二次供給手段は、所定周波数で前記エミッタに電力を供給して前記エミッタを動作させるのに適した人間または動物の体部手当て用装置。
【請求項２０】
請求項１９において、前記二次供給手段は、コンセント周波数に等しい周波数で前記エミッタに電力を供給して前記エミッタを動作させるのに適した人間または動物の体部手当て用装置。
【請求項２１】
請求項１〜２０のいずれか１項において、  前記エミッタは発光ダイオードとした人間または動物の体部手当て用装置。
【請求項２２】
請求項１〜２１のいずれか１項に従って得られた少なくとも１個の装置（１）を備えたセットであって、波動に対して透過であるとともに、前記エミッタと前記体部の前記手当て対象部位との間の物理的な接触を防止する少なくとも１つの壁を含む人間または動物の体部の手当て用セット。
【請求項２３】
請求項２２において、前記透過壁は、バッグの一部分とした人間または動物の体部の手当て用セット。
【請求項２４】
請求項２２又は請求項２３において、前記壁はポリエチレンで作成した人間または動物の体部の手当て用セット。
【請求項２５】
請求項１〜２４のいずれか１項に従って得られた装置により実行される方法であって、前記方法は、シリコンの固有波長に等しい波長を有する複数の単色波動を生成させる行程と、前記ケースを前記体部の前記手当て対象部位に近接させる行程と、前記体部の前記部位に前記波動を作用させる行程とを備えた人間または動物の体部の部位を手当てするための方法。
【請求項２６】
請求項２５において、更に、前記エミッタと前記体部の前記手当て対象部位との間に波動に対して透過な壁を挿入して、前記エミッタと前記体部の前記手当て対象部位との間での物理的な接触を防止させる行程を備えた人間または動物の体部の部位を手当てするための方法。
【請求項２７】
請求項２６において、前記挿入行程は、前記ケースを少なくとも部分的にバッグに挿入する行程を備えた人間または動物の体部の部位を手当てするための方法。
【請求項２８】
請求項２５〜２７のいずれか１項において、クリームまたは油等の物質を前記体部の前記部位に塗布する行程を備えた人間または動物の体部の部位を手当てするための方法。
【請求項２９】
請求項２８において、前記塗布行程は、前記近接行程の前に実行される人間または動物の体部の部位を手当てするための方法。
【請求項３０】
請求項２８又は請求項２９において、前記塗布行程は、前記近接行程の後に実行される人間または動物の体部の部位を手当てするための方法。
【請求項３１】
シリコンの放射波長に等しい固有波長を有する電磁波の脱毛症の手当てに対する使用。
【請求項３２】
シリコンの放射波長に等しい固有波長を有する電磁波の陰茎の勃起の促進に対する使用。
【請求項３３】
シリコンの放射波長に等しい固有波長を有する電磁波のリウマチ障害の手当てに対する使用。
【請求項３４】
シリコンの放射波長に等しい固有波長を有する電磁波の皮膚の手当ておよび／または皮膚の美容手当てに対する使用。
【請求項３５】
シリコンの放射波長に等しい固有波長を有する電磁波の、体部の手当て対象部位と反応して前記体部の前記部位との反応を促進させる物質との組み合わせにおける使用。
【発明の詳細な説明】
【技術分野】
【０００１】
本発明は、電磁波による人間の体部手当て(human body treatment)用装置に関し、また、前記手当てを行うための方法に関するものである。
【背景技術】
【０００２】
レーザーによって生成されるｎＩＲ（近赤外線）またはＩＲ（赤外）領域の波動により人間の体部を手当てする実験室用の装置に関し、いくつかの解決策が知られている。このような装置は、一般に、きわめて嵩張り、高価であり、熟練者を必要とし、したがって例えば毎日のような家庭での使用には適していない。
【０００３】
家庭用に適した装置に関する解決策も存在しており、通常は、体部の手当て対象部位の上で動かされるブラシを有している。
【０００４】
上述形式の解決策は、例えば文献、国際公開第９７／０９８４７号、ロシア特許第２２３１３５３号、独国特許第４０１２８５４号、国際公開第２００４／０７５９８５号、国際公開第２００５／０１６４５４号、中国特許第１３６９２３９号、英国特許第２３６８０２０号、米国特許第５，３３６，１５９号、欧州特許第１００５８８０号、独国特許第４１４３１６８号、米国特許第４，６８０，８２２号、ロシア特許第２２３２６１０号、独国特許第４１１３８０３号、英国特許第２２１２０１０号、国際公開第０２／０５３２２４号、及び台湾特許第５８０９１６号に記載されている。
【０００５】
しかしながら、公知の解決策は、いくつかの不利を備えている。
【特許文献１】ＷＯ９７／０９８４７
【特許文献２】ＲＵ２２３１３５３
【特許文献３】ＤＥ４０１２８５４
【特許文献４】ＷＯ２００４／０７５９８５
【特許文献５】ＷＯ２００５／０１６４５４
【特許文献６】ＣＮ１３６９２３９
【特許文献７】ＧＢ２３６８０２０
【特許文献８】ＵＳ５，３３６，１５９
【特許文献９】ＥＰ１００５８８０
【特許文献１０】ＤＥ４１４３１６８
【特許文献１１】ＵＳ４，６８０，８２２
【特許文献１２】ＲＵ２２３２６１０
【特許文献１３】ＤＥ４１１３８０３
【特許文献１４】ＧＢ２２１２０１０
【特許文献１５】ＷＯ０２／０５３２２４
【特許文献１６】ＴＷ５８０９１６
【発明の開示】
【発明が解決しようとする課題】
【０００６】
本発明の目的は、従来技術の装置の不利を克服した、人間または動物の体部の治療的手当て用装置であって、特に、家庭での使用に適した装置を提供することにある。
【課題を解決するための手段】
【０００７】
このような目的は、請求項１に従って得られる装置によって達成される。従属請求項は、様々な実施形態を記載している。さらに、前記装置を、請求項２１に従って、人間の体部を手当てするための方法を実行するために使用することができる。従属請求項が、この方法を実行するための選択肢を記載している。
【０００８】
本発明による装置および方法の特徴および利点は、添付図面を参照して非限定的に例示された参照例について為された以下の説明から、より明確となる。
【発明を実施するための最良の形態】
【０００９】
添付図面を参照すると、符号１は全体として電磁波によって人間の体部を手当てする装置を示しており、前記装置は、前記人間の体部の手当て対象部位での使用に適している。
【００１０】
装置１は、ホルダ上に置くのに適した台座本体２を有している。好ましい実施形態によれば、前記本体２は内部に空間を備えたボックス構造である。前記ボックス構造は、前記ホルダ上への配置に適した支持ベース４と、前記支持ベースの反対側となる上壁６と、側壁８とを有している。前記支持ベース４と、前記上壁６と、前記側壁８は、内部空間を画定している。
【００１１】
好ましい実施形態によれば、本体２の前記上壁６には座台１０が備えられ、座台１０内において、下部空間１２と上部空間１４とが区別されている。
【００１２】
好ましい実施形態によれば、前記装置１は電源手段を有している。例えば、前記電源手段は、前記装置に電力をもたらすべくコンセントに接続されるのに適している。他の実施形態によれば、前記電源手段は、装置１へと電力をもたらすための少なくとも１つの電池、例えば、充電式の電池を有している。
【００１３】
さらに、装置１は、前記台座本体２に操作的に接続され、手に保持されての取扱い性や前記手当ての実行性に適した手持ちケース２０を有している。
【００１４】
好ましい実施形態によれば、前記手持ちケース２０は、手当ての際に手当て対象部位に対面させられる前面２２と、前記前面の反対側となる背面２４と、側面２６とを備える。
【００１５】
さらに、前記装置１は、実質的に単色の波動を放射するのに適した実質的単色放射手段を有している。
【００１６】
特に、前記放射手段は、個々が所定波長の波動を放射するのに適した複数の個別のエミッタ３０を有している。
【００１７】
好適に、前記エミッタは、シリコンの放射の固有波長に等しい波長、すなわち９０５ナノメートルに実質的に等しい(substantially equal) 波長を有する電磁波の放射に適している。
【００１８】
本発明の範囲において、「実質的に等しい(substantially equal) 」という用語は、技術的につきものの制約のために、エミッタによって放射される波長の値が指定の値から異なってもよいが、いずれの場合も依然としてその値の付近にあることを示している。特に、実施形態によれば、前記波長は８７５ナノメートル〜９３５ナノメートルの間の範囲に含まれる。
【００１９】
好ましくは、前記エミッタは、発光ダイオード（ＬＥＤ）である。
【００２０】
前記エミッタ３０は、手当ての際に、体部の手当て対象部位に前記波動が少なくとも部分的に当たるように、前記ケース２０に配置されている。
【００２１】
好適には、前記エミッタ３０は、前記ケース２０の前記前面２２から突出し、また、互いに離間している。
【００２２】
特に、エミッタ３０は、行と列とを識別することができるマトリックス（行列）を生成するように配置されている。好適には、或る行のエミッタ３０は、隣の行のエミッタに対して中間の位置に配置される。先の行または先の列に対する隣の行または隣の列とは、先の行または先の列に対して直接隣接する行または列を意味する。
【００２３】
特に、マトリックスの外縁の行または外縁の列には配置されていないエミッタ３０は、隣のエミッタに対して一定距離を隔てている。外縁の行または列とは、マトリックスのうちの最後の行または列を意味し、つまり、少なくとも片側に隣の行または列が存在していない行または列を意味する。
【００２４】
換言すると、前記エミッタ３０は、ハニカム状に配列されている。
【００２５】
前記台座本体２は、前記ケース２０の少なくとも一部分を収容して前記装置を不使用状態にしておくのに適している。特に、前記下部空間は、前記エミッタ３０の収容に適しており、前記上部空間は、前記ケースを収容するのに適している。
【００２６】
好ましい実施形態によれば、前記装置１は、一次供給手段および二次供給手段を有している。
【００２７】
前記ケース２０に収容される前記二次供給手段は、前記放射手段、特に、前記エミッタへの電力供給に適している。好適には、前記二次供給手段は、好ましくはコンセント周波数に一致する所定の電源周波数にて前記エミッタに電力を供給するのに適している。
【００２８】
他方で、前記一次供給手段は、前記電源手段に操作的に接続可能で、前記本体２に収容され、また、前記二次供給手段に操作的に接続される。
【００２９】
上述した装置の標準的な使用では、装置はコンセントに接続されるか、あるいは電池によって駆動される。
【００３０】
装置をオンにすると、前記エミッタは、ｎＩＲ領域に含まれる波動、好適には固有シリコン波長に等しい、即ち、すなわち実質的に９０５ナノメートルの波長の波動を放射する。
【００３１】
上記波長の波動放射は、特別な検出装置を用いて検査される。実際、ｎＩＲ波動は、実際、可視のスペクトルの範囲にはなく、したがって、人間の眼では確認できない。検出装置として、ｎＩＲ波動感応レンズを備えた市場入手可能のデジタルカメラを使用することができる。
【００３２】
このように、装置が作動しているときにエミッタを裸眼で見つめても、光を感じることは出来ないが、他方で、エミッタをカメラで撮影すれば、上記波動の放射に相当する光を見ることができる。
【００３３】
人間の体部手当てのために、ケースを手当て対象部位に近づけ、エミッタを体部の手当て対象部位に向ける。
【００３４】
ケースを手当て対象部位上に移動させ、皮膚に軽く接触するか僅かに離れた状態で当接させると、放射された波動は手当て対象部位に作用して、手当て対象部位を構成している細胞に共鳴効果(resonant effect) をもたらす。
【００３５】
シリコンの波長に実質的に等しい波長で発生させた電磁波は、脱毛症の手当てやリウマチ障害の手当て、皮膚の手当て、および美容的手当てなどに使用できる。さらに、このような使用は、陰茎の毛細血管の血管拡張の達成にも、かなりの成果を示している。
【００３６】
有益なことに、ケースの前面のエミッタの配置によって、体部の手当て対象部位に作用する波動の強さを一様な分布にすることができる。また、有益なことに、このような特徴は、体部の手当て対象の部位における好ましくない反応、例えば、体部の手当て対象部位に隣接する両側の部位において生じる過剰な電位差に起因する神経的ストレスなどが生じないようにすることができる。
【００３７】
さらに、有益なことに、装置は不非使用形態にするのに適していて、例えば手当ての最中に一時的に使用しないとき、エミッタを台座本体に設けた座台の下部空間に収容させる。このやり方で、放射される波動は、前記座台に閉じ込められる。
【００３８】
さらに、有益なことに、クリーム、油、より一般的には体部の当該部位と反応する物質を、治療または美容の手当てのために事前および／または事後に塗布した体部の部位に、上記装置を用いると、体部の部位に対する前記物質の反応が大いに促進されることが明らかになっている。
【００３９】
本発明による装置は、好ましくは、当該装置および少なくとも１つの保護カバーを含むセットの一部として販売される。
【００４０】
好ましい実施形態によれば、前記保護カバーは、前記ケース２０を少なくとも部分的に収容するのに適した変形可能なバッグを含んでいる。好適には、前記バッグは、放射される波動を透過し、例えばポリエチレンなどのプラスチック材料で作られる。
【００４１】
手当ての実行に先立って、ケース２０、またはエミッタ３０が設けられたケースの部分は、前記バッグ内に挿入してから、体部の手当て対象部位に近づける。
【００４２】
手当ての終了の際、ケースはバッグから取り出され、バッグは捨てられる。
【００４３】
有益なことに、前記セットによって、装置を、体部の異なる部位または異なる利用者の手当てを実行するのに使用することができる。
【００４４】
特に、前記セットによれば、体部のそれぞれの部位に特有のクリームまたは製品を、エミッタを汚すことなく、したがってその後に手当てされる体部の他の部位を汚すことなく、使用することが可能である。当然ながら、これにより、衛生を保ちつつ別の利用者による使用を可能にする。
【００４５】
換言すると、バッグの一部分は、波動に対する透明な壁となり、この壁は前記エミッタと体部の手当対象部位との間の物理的な接触を防止する壁となっている。
【００４６】
さらに、有益なことに、前記バッグは、装置と体部の手当て対象部位との間のさらなる電気的および化学的な絶縁をもたらしている。
【００４７】
最後に、さらなる好適な態様によれば、コンセント周波数にある前記エミッタの前記電源は、波動の放射を向上させ、放射時間を短くし、体部の手当て対象部位への前記波動の進入を可能にする。
【００４８】
当業者であれば、具体的および偶発的なニーズに合致するよう、上述の装置に対していくつかの変更および調節を行うことは可能であり、それらはすべて特許請求の範囲で定められた保護の範囲に包含されることは、明らかである。
【図面の簡単な説明】
【００４９】
【図１】本発明による装置の斜視図。
【図２】図１の装置の台座本体の平面図。
【図３ａ】図１の装置の手持ちケースの平面図。
【図３ｂ】図１の装置の手持ちケースの平面図。
【図１】
2008543417.tif 000003
【図２】
2008543417.tif 000004
【図３ａ】
2008543417.tif 000005
【図３ｂ】
2008543417.tif 000006
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
人間または動物の体部の手当て対象部位に対する使用に適した装置（１）であって、ホルダ上に置くのに適した台座本体（２）と、前記台座本体（２）に操作的に接続され手に保持されての取扱い性や前記手当ての実行性に適した手持ちケース（２０）と、複数の個別のエミッタ（３０）であって各エミッタが８７５〜９３５ナノメートルの領域に含まれる波長を有する波動を放射するのに適した放射手段とを具備し、もって、前記エミッタは手当ての際に前記体部の前記手当て対象部位に前記波動が当たるように前記ケース２０に配置し、前記放射手段は実質的な単色であり、前記エミッタは行および列を特定できるマトリックスを生成するように配置され、或る行の前記エミッタは隣接した行のエミッタに対して中間の位置に配置した人間または動物の体部手当て用装置。
【請求項２】
請求項１において、前記エミッタはシリコンの放射波長に実質的に等しい波長を有する波動を放射するのに適している人間または動物の体部手当て用装置。
【請求項３】
請求項２において、前記エミッタは９０５ナノメートルに実質的に等しい波長を有する波動を放射するのに適している人間または動物の体部手当て用装置。
【請求項４】
請求項１〜３のいずれか１項において、前記手持ちケースは手当ての際に前記手当て対象部位に対面させられる前面と、背面とを備え、前記エミッタは前記前面の側部に配設した人間または動物の体部手当て用装置。
【請求項５】
請求項４において、前記エミッタは前記前面から突き出している人間または動物の体部手当て用装置。
【請求項６】
請求項１〜５のいずれか１項において、前記エミッタは互いに離間させた人間または動物の体部手当て用装置。
【請求項７】
請求項１〜６のいずれか１項において、外縁の行または外縁の列に配置されていないエミッタは、隣のエミッタに対して一定距離を隔てた人間または動物の体部手当て用装置。
【請求項８】
請求項１〜７のいずれか１項において、前記エミッタはハニカム状に配列させた人間または動物の体部手当て用装置。
【請求項９】
請求項１〜８のいずれか１項において、前記台座本体は前記ケースの少なくとも一部分を収納して前記装置を不使用状態にしておくのに適した人間または動物の体部手当て用装置。
【請求項１０】
請求項９において、前記台座本体は、前記ホルダ上への配置に適した支持ベースと、前記支持ベースの反対側となる上壁とを有し、前記上壁は前記ケースを収納する座台を備えた人間または動物の体部手当て用装置。
【請求項１１】
請求項１０において、前記座台は互いに区別することができる下部空間および上部空間を備え、前記下部空間は前記エミッタを収容させるのに適し、前記上部空間は前記ケースを少なくとも部分的に収容させるのに適した人間または動物の体部手当て用装置。
【請求項１２】
請求項１〜１１のいずれか１項において、前記エミッタに前記波動を放射させるための電力供給に適した二次供給手段を有する人間または動物の体部手当て用装置。
【請求項１３】
請求項１２において、前記電力供給手段は前記ケースに収容させた人間または動物の体部手当て用装置。
【請求項１４】
請求項１〜１３のいずれか１項において、前記二次供給手段と協働して前記二次供給手段に電力を供給するのに適した一次供給手段を有する人間または動物の体部手当て用装置。
【請求項１５】
請求項１４において、前記一次供給手段は、前記台座本体に収容させた人間または動物の体部手当て用装置。
【請求項１６】
請求項１２〜１５のいずれか１項において、前記二次供給手段は、所定周波数で前記エミッタに電力を供給して前記エミッタを動作させるのに適した人間または動物の体部手当て用装置。
【請求項１７】
請求項１６において、前記二次供給手段は、コンセント周波数に等しい周波数で前記エミッタに電力を供給して前記エミッタを動作させるのに適した人間または動物の体部手当て用装置。
【請求項１８】
請求項１〜１７のいずれか１項において、  前記エミッタは発光ダイオードとした人間または動物の体部手当て用装置。
【請求項１９】
請求項１〜１８のいずれか１項に従って得られた少なくとも１個の装置（１）を備えたセットであって、波動に対して透過であるとともに、前記エミッタと前記体部の前記手当て対象部位との間の物理的な接触を防止する少なくとも１つの壁を含む人間または動物の体部の手当て用セット。
【請求項２０】
請求項１９において、前記透過壁は、バッグの一部分とした人間または動物の体部の手当て用セット。
【請求項２１】
請求項１９又は請求項２０において、前記壁はポリエチレンで作成した人間または動物の体部の手当て用セット。
【請求項２２】
請求項１〜２１のいずれか１項に従って得られた装置により実行される方法であって、前記方法は、シリコンの固有波長に等しい波長を有する複数の単色波動を生成させる行程と、前記ケースを前記体部の前記手当て対象部位に近接させる行程と、前記体部の前記部位に前記波動を作用させる行程とを備えた人間または動物の体部の部位を手当てするための方法。
【請求項２３】
請求項２４において、更に、前記エミッタと前記体部の前記手当て対象部位との間に波動に対して透過な壁を挿入して、前記エミッタと前記体部の前記手当て対象部位との間での物理的な接触を防止させる行程を備えた人間または動物の体部の部位を手当てするための方法。
【請求項２４】
請求項２３において、前記挿入行程は、前記ケースを少なくとも部分的にバッグに挿入する行程を備えた人間または動物の体部の部位を手当てするための方法。
【請求項２５】
請求項２２〜２４のいずれか１項において、クリームまたは油等の物質を前記体部の前記部位に塗布する行程を備えた人間または動物の体部の部位を手当てするための方法。
【請求項２６】
請求項２５において、前記塗布行程は、前記近接行程の前に実行される人間または動物の体部の部位を手当てするための方法。
【請求項２７】
請求項２５又は請求項２６において、前記塗布行程は、前記近接行程の後に実行される人間または動物の体部の部位を手当てするための方法。
【請求項２８】
シリコンの放射波長に等しい固有波長を有する電磁波の脱毛症の手当てに対する使用。
【請求項２９】
シリコンの放射波長に等しい固有波長を有する電磁波の陰茎の勃起の促進に対する使用。
【請求項３０】
シリコンの放射波長に等しい固有波長を有する電磁波のリウマチ障害の手当てに対する使用。
【請求項３１】
シリコンの放射波長に等しい固有波長を有する電磁波の皮膚の手当ておよび／または皮膚の美容手当てに対する使用。
【請求項３２】
シリコンの放射波長に等しい固有波長を有する電磁波の、体部の手当て対象部位と反応して前記体部の前記部位との反応を促進させる物質との組み合わせにおける使用。
【国際調査報告】
2008543417.tif 000007
2008543417.tif 000008
2008543417.tif 000009
2008543417.tif 000010
2008543417.tif 000011